(57)【特許請求の範囲】
【請求項１】
記録再生トラックに沿って、トラック制御を行うための複数の制御用ピットを有するトラック制御情報領域とデータ領域とを順次交互に配して形成された光ディスク記録媒体を用いて、情報を記録または再生する光ディスク記録再生装置において、
光ディスク記録媒体に集光された光に対する光ディスク記録媒体からの戻り光を検出する２分割フォトダイオードを備えており、
上記記録再生トラックは複数本の同心螺旋状に形成され、互いに隣接する各記録再生トラックの各トラック制御情報領域が、記録再生トラックに対して直角方向の一直線上とは異なる位置に並び配して形成されているとともに、
上記トラック制御情報領域において、複数本の記録再生トラックを識別するための情報がウォブルドピットによって形成され、
上記ウォルブドピットにおけるずれ方向の組み合わせによる上記２分割フォトダイオードの出力の違いを認識し、複数本の記録再生トラックを識別することを特徴とする光ディスク記録再生装置。
【請求項２】
上記制御用ピットの情報に基づき記録再生トラックを選択し、情報を記録又は再生する選択記録再生手段を備えていることを特徴とする請求項１に記載の光ディスク記録再生装置。
【発明の詳細な説明】
【０００１】
【産業上の利用分野】
本発明は、記録再生トラックに沿って、トラック制御を行うための制御用ピットを有するトラック制御情報領域とデータ領域とを順次交互に配して形成された光ディスク記録媒体に情報を記録または再生する光ディスク記録再生装置に関するものである。
【０００２】
【従来の技術】
従来から、図１０に示すように、光ディスク８１の各トラック８２…上に、トラッキングの制御情報領域としてのサーボ領域ＳA ８３…が順次離散的に予め形成されると共に、これらサーボ領域ＳA ８３…の間にデータ領域ＤA ８４…がそれぞれ形成され、これらサーボ領域ＳA ８３とデータ領域ＤA ８４とによってセグメントＳＧ８５が構成されたものが知られている。
【０００３】
上記サーボ領域ＳA ８３には、トラッキング制御のためのウォブルドピットＰa ８６、及びウォブルドピットＰb ８７がトラック８２に沿って両側にそれぞれ形成されると共に、トラック８２上にクロックピットＰc ８８が予め形成されている。
【０００４】
この種の光ディスク８１では、離散的なサーボ領域８３…に存在するウォブルドピットＰa ８６からの戻り光量とウォブルドピットＰb ８７からの戻り光量との差によって生成されるトラッキングサーボ誤差信号によりトラッキングサーボが行われる。また、この光ディスク８１では、サーボ領域ＳA ８３…に存在するクロックピットＰc ８８に基づいてディスク回転制御ＰＰＬのクロッキングを実行して、情報の記録あるいは再生が行われるようになっており、これによって、サンプルサーボフォーマットの形態を有するものとなっている。
【０００５】
一般的にこうしたサンプルサーボフォーマットの光ディスク８１では、サーボ領域ＳA ８３…は、隣接するトラック８２…間で同じ横並び位置となるように、光ディスク８１の回転中心から放射状に形成されるため、光ディスク８１は回転角速度を一定に回転制御（ＣＡＶ制御）されることになる。
【０００６】
具体的には、図１１（ａ）及び図１２に示すように、図示しない光ピックアップから照射される光ビーム９０がトラック８２上を通過していくと、光ビーム９０の反射光は光検出器ＰＤ９１にて光電流に変換され、さらにＩ／Ｖ変換回路９２にて電圧に変換される。次いで、光ビーム９０がウォブルドピットＰa ８６を通過するとき、コントローラ９３からサンプリングクロックＣa ９４がサンプルホールド回路ＳＨa ９５に供給され、光検出器ＰＤ９１からの出力がホールドされて差動増幅器９６に導かれる。一方、光ビーム９０がウォブルドピットＰb ８７を通過するときは、コントローラ９３からサンプリングクロックＣb ９７がサンプルホールド回路ＳＨb ９８に供給され、光検出器ＰＤ９１からの出力がホールドされて差動増幅器９６に印加される。この時点でサンプルホールド回路ＳＨa ９５とサンプルホールド回路ＳＨb ９８とのホールド値の差が差動増幅器９６にて処理され、トラッキングサーボ誤差信号ＴＥＳが求められる。
【０００７】
つまり、光ビーム９０がウォブルドピットＰa ８６及びウォブルドピットＰb ８７に位置するときの光検出器ＰＤ９１の出力が等しくなるときに、光ビーム９０はジャストトラッキング状態となる。
【０００８】
【発明が解決しようとする課題】
しかしながら、上記従来のサンプルサーボフォーマットの光ディスク８１では、記録容量を増加させるために各トラック８２…間のピッチを狭くすると、正確なトラッキングサーボが実現困難になるという問題点を有している。
【０００９】
すなわち、図１０に示すように、サンプルサーボフォーマットでは各トラック８２…におけるそれぞれのサーボ領域ＳA ８３…がトラック８２…に対して直角方向の同一線上に、横並びに位置して形成されることになるため、サーボ領域ＳA ８３内のウォブルドピットＰa ８６及びウォブルドピットＰb ８７における隣接トラック８２間の干渉、つまりクロストーク(Cross Talk)が発生する。そして、このクロストークにより、ウォブルドピットＰa ８６及びウォブルドピットＰb ８７で検出されるトラッキングサーボ誤差信号ＴＥＳの感度の低下が起こり、正確なトラッキングが実行不可能になるという問題点を有している。
【００１０】
詳述すると、図１１（ａ）に示すように、クロストークの影響が小さい通常のトラックピッチの場合においては、光ビーム９０が記録再生トラック８２上のジャストトラックの状態である軌跡Ｓをトレースする時の光検出器ＰＤ９１の出力は、光ビーム９０がジャストトラックの状態から僅かにずれた状態（同図（ａ）において軌跡Ｔ・Ｕで示される）で記録再生トラック８２をトレースするときのウォブルドピットＰa ８６及びウォブルドピットＰb ８７からの戻り光量との差が大きくなる。そして、このことは、ずれに対するトラッキングサーボ誤差信号ＴＥＳの感度が高いことを意味する。
【００１１】
一方、狭いトラックピッチでは、図１１（ｂ）に示すように、ウォブルドピットＰa ８６及びウォブルドピットＰb ８７からの戻り光量の差が小さくなる。このことは、狭いトラックピッチでは、ずれに対するトラッキングサーボ誤差信号ＴＥＳの感度が低いことを意味する。
【００１２】
このような感度の低下は、トラッキングサーボ誤差信号ＴＥＳ自体のＳ／Ｎの悪化を招き、正確なトラッキングサーボの実現を困難なものとする。
【００１３】
本発明は、上記従来の問題点に鑑みなされたものであって、その目的は、記録再生トラックのトラックピッチを狭くしても正確なトラッキングサーボを実現し得る光ディスク記録媒体に情報を記録または再生する光ディスク記録再生装置を提供することにある。
【００１４】
【課題を解決するための手段】
請求項１記載の発明の光ディスク記録媒体は、上記課題を解決するために、記録再生トラックに沿って、トラック制御を行うための複数の制御用ピットを有するトラック制御情報領域とデータ領域とを順次交互に配して形成された光ディスク記録媒体に情報を記録または再生する光ディスク記録再生装置において、光ディスク記録媒体に集光された光に対する光ディスク記録媒体からの戻り光を検出する２分割フォトダイオードを備えており、上記記録再生トラックは複数本の同心螺旋状に形成され、互いに隣接する各記録再生トラックの各トラック制御情報領域が、記録再生トラックに対して直角方向の一直線上とは異なる位置に並び配して形成されているとともに、上記トラック制御情報領域において、複数本の記録再生トラックを識別するための情報がウォブルドピットによって形成され、上記ウォルブドピットにおけるずれ方向の組み合わせによる上記２分割フォトダイオードの出力の違いを認識し、複数本の記録再生トラックを識別することを特徴としている。
【００１５】
請求項２記載の発明の光ディスク記録再生装置は、上記の構成において、制御用ピットの情報に基づき記録再生トラックを選択し、情報を記録又は再生する選択記録再生手段を備えていることを特徴としている。
【００１６】
【作用】
請求項１の構成によれば、トラックピッチを狭くしたときに、従来であれば、互いに隣接する各記録再生トラックの各トラック制御情報領域同士が近接してクロストークが発生するおそれがあったが、本発明では記録再生トラックは複数本の同心螺旋状に形成され、互いに隣接する各記録再生トラックの各トラック制御情報領域が、記録再生トラックに対して直角方向の一直線上とは異なる位置に並び配して形成されているので、隣接する記録再生トラック同士では、各トラック制御情報領域が同一線上の横並びにならない。
【００１７】
したがって、記録再生トラックのトラックピッチを狭くしても各トラック制御情報領域における制御ピットの隣接記録再生トラック間のクロストークが発生しないために、正確なトラッキングサーボを実現することができる。
【００１８】
また、上記の構成によれば、上記記録再生トラックは複数本の同心螺旋状に形成される一方、上記複数の制御用ピットには、これら複数本の記録再生トラックを識別するための情報が含まれている。
【００１９】
したがって、記録再生トラックが複数本であっても、複数の制御用ピットに基づいて各記録再生トラックを識別することができる。
【００２０】
また、請求項2 の構成によれば、選択記録再生手段が光ディスク記録媒体における複数の制御用ピットの情報に基づき記録再生トラックを選択して情報を記録又は再生する。これにより、光ディスク記録媒体を用いて、情報を高密度に記録再生することができる。
【００２１】
【実施例】
〔実施例１〕
本発明の一実施例について図１ないし図６に基づいて説明すれば、以下の通りである。
【００２２】
本実施例の光ディスク記録再生装置で使用される光ピックアップは、図２に示すように、半導体レーザ６、コリメータレンズ５、偏光ビームスプリッター４、直角プリズム３、対物レンズ２、集光レンズ７、及び光検出器８から構成されている。そして、半導体レーザ６から放射されたレーザ光が、コリメータレンズ５で平行光束となり、偏光ビームスプリッター４を通って直角プリズム３にて直角に曲げられ、対物レンズ２にて光ディスク記録媒体としての光ディスク１に光ビーム２９として集光される。光ディスク１からの戻り光は、対物レンズ２及び直角プリズム３を通して偏光ビームスプリッター４に導かれ、集光レンズ７にて集光されて光検出器８に入射する。
【００２３】
上記の光検出器８は、図３に示すように、上記光ディスク１の記録再生トラック方向に対して２分割された第１フォトダイオード（ＰＤ１）９及び第２フォトダイオード（ＰＤ２）１０により構成されている。
【００２４】
一方、光ディスク１は、図４に示すように、記録再生トラックが二重の螺旋状としてのスパイラル構造に形成されており、それぞれ第１スパイラル記録再生トラック（以下、単に「第１スパイラル」と称する）１１及び第２スパイラル記録再生トラック（以下、単に「第２スパイラル」と称する）１２となっている。
【００２５】
そして、図１に示すように、第１スパイラル１１にはトラック制御情報領域としてのサーボ領域ＳA １３とデータ領域ＤA １４とから構成されるセグメントＳＧ１５が形成される。また、第２スパイラル１２には同様にトラック制御情報領域としてのサーボ領域ＳA １６とデータ領域ＤA １７とから構成されるセグメントＳＧ１８がそれぞれ形成されている。このように各第１スパイラル１１及び第２スパイラル１２には、サーボ領域ＳA １３とデータ領域ＤA １４とがそれぞれ順次交互に配されている。
【００２６】
上記の各サーボ領域ＳA １３・１６…の位置は、各第１スパイラル１１及び第２スパイラル１２毎にトラック進行方向の前後にずらして配置されている。すなわち、第１スパイラル１１の記録再生トラックＡ１、Ａ２、Ａ３…におけるサーボ領域ＳA １３…は、第１スパイラル１１上ではトラックと直角方向における一直線上の位置に形成されているが（但し、厳密には光ディスク１の半径方向に形成されている）、隣接する第２スパイラル１２の記録再生トラックＢ１、Ｂ２、Ｂ３…におけるサーボ領域ＳA １６とは、同一直線上の位置とならないようにトラック進行方向の前後にずらして形成されている。
【００２７】
これにより、トラックピッチ、つまり第１スパイラル１１と第２スパイラル１２との間隔を狭くしても、同一直線上に位置する各サーボ領域ＳA １３…間及び各サーボ領域ＳA １６…間の距離はトラックピッチの倍となり、第１スパイラル１１と第２スパイラル１２とにおける記録再生トラックのサーボ領域ＳA １３・１６間での干渉、つまりクロストーク(Cross Talk)の発生を防止することができる。
【００２８】
また、第１スパイラル１１におけるサーボ領域ＳA １３内には、トラッキング制御のための制御ピットとしてのウォブルドピットＰa １９及びウォブルドピットＰb ２０が第１スパイラル１１の両側に沿ってそれぞれ形成されると共に、第１スパイラル１１上にクロックピットＰc ２１がそれぞれトラック進行方向（同図において矢印Ａ方向）に順に形成されている。同様に、第２スパイラル１２におけるサーボ領域ＳA １６内には、制御ピットとしてのウォブルドピットＰa ２２及びウォブルドピットＰb ２３が第２スパイラル１２の両側に沿ってそれぞれ形成されると共に、第２スパイラル１２上にクロックピットＰc ２４がそれぞれトラック進行方向に順に形成されている。
【００２９】
また、上記の第１スパイラル１１におけるウォブルドピットＰa １９及びウォブルドピットＰb ２０に注目すると、ウォブルドピットＰa １９が第１スパイラル１１に対して光ディスク１の外周側に形成され、ウォブルドピットＰb ２０が第１スパイラル１１に対して光ディスク１の内周側に形成されている。
【００３０】
一方、上記の第２スパイラル１２におけるサーボ領域ＳA １６内のウォブルドピットＰa ２２及びウォブルドピットＰb ２３に注目すると、ウォブルドピットＰa ２２が第２スパイラル１２に対して光ディスク１の内周側に形成されると共に、ウォブルドピットＰb ２３が第２スパイラル１２に対して光ディスク１の外周側に形成されている。
【００３１】
すなわち、ウォブルドピットＰa １９・２２及びウォブルドピットＰb ２０・２３がそれぞれ第１スパイラル１１及び第２スパイラル１２の外周側に配置されているか内周側に配置されているかによって、第１スパイラル１１であるか第２スパイラル１２であるかの識別が可能になっている。
【００３２】
ここで、上記第１スパイラル１１であるか第２スパイラル１２であるかの識別を行うための光ディスク記録再生装置の具体的構造及びその識別方法を以下に示す。
【００３３】
図５に示すように、本実施例の光ディスク記録再生装置３０は、前記光検出器８の第１フォトダイオード（ＰＤ１）９がＩ／Ｖ変換回路３１を介して加算器３３に接続される一方、第２フォトダイオード（ＰＤ２）１０がＩ／Ｖ変換回路３２を介して上記加算器３３に接続される。加算器３３の出力側には、サンプルホールド回路ＳＨa ３４及びサンプルホールド回路ＳＨb ３５が設けられる。これらサンプルホールド回路ＳＨa ３４及びサンプルホールド回路ＳＨb ３５は、差動増幅器３６・３７を介してアナログスイッチ３８にそれぞれ接続されている。
【００３４】
また、上記Ｉ／Ｖ変換回路３１・３２の出力側はコンパレータ３９にも接続され、コンパレータ３９はＤ型フリップフロップ４０を介して上記アナログスイッチ３８及び選択記録再生手段としてのコントローラ４１に接続されている。
【００３５】
また、コントローラ４１は、Ｄ型フリップフロップ４０のＣＫ端子４０ａ及びサンプルホールド回路ＳＨb ３５に接続される一方、サンプルホールド回路ＳＨa ３４にも接続されている。
【００３６】
上記の構成を有する光ディスク記録再生装置３０においては、第１フォトダイオード９及び第２フォトダイオード１０からの光電流は、それぞれＩ／Ｖ変換回路３１・３２にて電圧に変換され加算器３３に送られる。そして、加算器３３で得られる信号から下記の処理を行いトラッキング誤差信号ＴＥＳを生成する。
【００３７】
すなわち、前記光ビーム２９が前記ウォブルドピットＰa １９・２２を通過するとき、コントローラ４１からサンプリングクロックＣa がサンプルホールド回路ＳＨa ３４に印加され加算器３３の出力をサンプルホールドする。このホールド値は次段の差動増幅器３６・３７に導かれる。さらに、光ビーム２９がウォブルドピットＰb ２０・２３を通過するとき、コントローラ４１はサンプリングクロックＣb をサンプルホールド回路ＳＨb ３５に印加し加算器３３の出力をサンプルホールドする。このホールド値は同じく次段の差動増幅器３６・３７に導かれる。これら差動増幅器３６・３７では、極性の異なるトラッキングサーボ誤差信号ＴＥＳが生成され、このトラッキングサーボ誤差信号ＴＥＳはアナログスイッチ３８に送られる。
【００３８】
また、Ｉ／Ｖ変換回路３１・３２の出力は、コンパレータ３９にも導かれ、第１フォトダイオード９と第２フォトダイオード１０との光電圧の比較が行われる。コンパレータ３９の出力Ｓ1 は、Ｄ型フリップフロップ４０のＤ端子４０ｂに印加される。Ｄ型フリップフロップ４０では、コントローラ４１からのサンプリングクロックＣb により信号Ｓ１をラッチしＱ端子４０ｃから信号Ｓ２として出力する。この信号Ｓ２はアナログスイッチ３８の切り換え信号として使用され、またコントローラ４１にも入力される。この信号Ｓ２が、第１スパイラル１１か第２スパイラル１２かの識別信号となる。
【００３９】
ここで、光ビーム２９と、ウォブルドピットＰa １９・２２及びウォブルドピットＰb ２０・２３との位置関係により、各ウォブルドピットＰa １９・２２及びウォブルドピットＰb ２０・２３の回折現象による第１フォトダイオード９及び第２フォトダイオード１０上への戻り光量が変化してくる。つまり、図６（ａ）に示すように、第２スパイラル１２の記録再生では、ウォブルドピットＰa ２２が光ビーム２９の中心に対して内周側にずれた位置に存在しているため、第１フォトダイオード（ＰＤ１）９上の戻り光量に対する影響が第２フォトダイオード（ＰＤ２）１０上のものと比較して大きく、その結果ウォブルドピットＰa ２２により出力が大きく減少する。また、ウォブルドピットＰb ２３は光ビーム２９の中心に対して外周側にずれた位置に存在しているため、今度は逆に第２フォトダイオード（ＰＤ２）１０上の戻り光量に対する影響が第１フォトダイオード（ＰＤ１）９上のものと比較して大きくなり、その結果、ウォブルドピットＰb ２３により出力が大きく減少する。
【００４０】
したがって、第２スパイラル１２では、時系列的に第１フォトダイオード（ＰＤ１）９の出力の方が先ず大きく減少し、その次に、第２フォトダイオード（ＰＤ２）１０の出力のほうが大きく減少することになる。
【００４１】
一方、第１スパイラル１１の記録再生では、図６（ｂ）に示すように、ウォブルドピットＰa １９が外周側に、ウォブルドピットＰb ２０が内周側にそれぞれずれているため状況は反対になる。つまり、時系列的に第２フォトダイオード（ＰＤ２）１０の出力の方が先ず大きく減少し、その次に第１フォトダイオード（ＰＤ１）９の出力のほうが大きく減少することになる。したがって、この違いを認識することで第１スパイラル１１か第２スパイラル１２かを識別することができる。
【００４２】
具体的には、図５及び図６（ａ）（ｂ）に示すように、コントローラ４１からのサンプリングクロックＣb により上記光ビーム２９がウォブルドピットＰb ２０・２３を通過するタイミングで第１フォトダイオード（ＰＤ１）９と第２フォトダイオード（ＰＤ２）１０との出力の比較結果である信号Ｓ１をラッチすることで識別信号Ｓ２を生成している。なお、図６（ａ）（ｂ）に示す信号Ｓ１における斜線部分は不定領域を示している。
【００４３】
上述のように、第１スパイラル１１と第２スパイラル１２とでは各ウォブルドピットＰa １９・２２及びウォブルドピットＰb ２０・２３の位置関係が反対となっているために、サンプリングで得られるトラッキングサーボ誤差信号ＴＥＳの極性も反対となる。このため、差動増幅器３６・３７を２個使用してトラッキングサーボ誤差信号ＴＥＳを生成し、アナログスイッチ２３にて切り替えて、図示しない次段のサーボ回路に供給している。
【００４４】
このように、本実施例の光ディスク１は、トラックピッチを狭くしたときに、従来であれば、互いに隣接する各第１スパイラル１１及び第２スパイラル１２の各サーボ領域ＳA …同士が近接してクロストークが発生するおそれがあったが、本実施例では記録再生トラックは２本の同心スパイラルに形成され、互いに立設する第１スパイラル１１及び第２スパイラル１２の各サーボ領域ＳA １３・１６が、第１スパイラル１１及び第２スパイラル１２に対して直角方向の一直線上とは異なる位置に並び配して形成されているので、隣接する第１スパイラル１１及び第２スパイラル１２同士では、各サーボ領域ＳA １３・１６が同一線上の横並びにならない。
【００４５】
したがって、記録再生トラックのトラックピッチを狭くしても各サーボ領域ＳA １３・１６におけるウォブルドピットＰa １９・２２及びウォブルドピットＰb ２０・２３の隣接第１スパイラル１１と第２スパイラル１２との間のクロストークが発生しないために、正確なトラッキングサーボを実現することができる。
【００４６】
また、本実施例の光ディスク１におけるサーボ領域ＳA １３・１６の各２個のウォブルドピットＰa １９・２２及びウォブルドピットＰb ２０・２３には、第１スパイラル１１及び第２スパイラル１２を識別するための情報が含まれている。
【００４７】
したがって、記録再生トラックが２本であっても、各２個のウォブルドピットＰa １９・２２及びウォブルドピットＰb ２０・２３に基づいて各第１スパイラル１１及び第２スパイラル１２を識別することができる。
【００４８】
また、本実施例の光ディスク記録再生装置３０では、コントローラ４１が、各第１スパイラル１１及び第２スパイラル１２における２個のウォブルドピットＰa １９・２２及びウォブルドピットＰb ２０・２３の配置情報に基づき記録再生トラックを選択して情報を記録又は再生する。これにより、光ディスク記録再生装置３０は、上記光ディスク１を用いて、情報を高密度に記録再生することができる。
【００４９】
〔実施例２〕
本発明の他の実施例を図７ないし図９に基づいて説明すれば、以下の通りである。なお、説明の便宜上、前記の実施例１の図面に示した部材と同一の機能を有する部材については、同一の符号を付し、その説明を省略する。
【００５０】
本実施例の光ディスク５１は、図７に示すように、記録再生トラックが４本のスパイラル形状に形成されており、それぞれ、第１スパイラル１１、第２スパイラル１２、第３スパイラル５２、及び第４スパイラル５３となっている。
【００５１】
また、各スパイラル１１・１２・５２・５３上のサーボ領域ＳA １３・１６・５４・５５には、各スパイラル１１・１２・５２・５３を識別するためのウォブルドピットＰd ５６・５７・５８・５９がそれぞれ追加された構造となっている。そして、隣接する各スパイラル１１・１２・５２・５３における各サーボ領域ＳA １３・１６・５４・５５の配列は、トラック進行方向（矢印Ａ方向）に対して、階段状の段違いになっている。
【００５２】
上記の光ディスク５１を記録再生する光ディスク記録再生装置６０では、図８に示すように、上記実施例１と同様に、第１フォトダイオード９、第２フォトダイオード１０、Ｉ／Ｖ変換回路３１・３２、加算器３３、サンプルホールド回路ＳＨa ３４、サンプルホールド回路ＳＨb ３５、差動増幅器３６・３７により極性の異なる２種類のトラッキングサーボ誤差信号ＴＥＳを作成し、アナログスイッチ３８に送っている。
【００５３】
また、各スパイラル１１・１２・５２・５３の識別のために、上記の各手段の他、コンパレータ３９の出力側に、Ｄ型フリップフロップ６１・６２、２ビットデコーダ６３、ＡＮＤ回路６４、Ｄ型フリップフロップ６５、及びコントローラ６６等を備えている。
【００５４】
上記の回路構成にて各スパイラル１１・１２・５２・５３の識別する際には、上記実施例１と同様に、第１フォトダイオード９の出力と第２フォトダイオード１０の出力とをコンパレータ３９にて比較し、その出力信号Ｓ１を利用することにより行っている。すなわち、図８及び図９（ａ）（ｂ）（ｃ）（ｄ）に示すように、信号Ｓ１をＤ型フリップフロップ６１・６２にてラッチして信号Ｓ３・Ｓ４を生成している。また、コントローラ６６からのラッチクロックＣc により、光ビーム２９がウォブルドピットＰｄ５６・５７・５８・５９を通過するタイミングで信号Ｓ１をＤ型フリップフロップ６２にてラッチして信号Ｓ４とし、この信号Ｓ４が２ビットデコーダ６３のＢ端子入力に送られる。さらに、コントローラ６６からのサンプリングクロックＣa により、光ビーム２９がウォブルドピットＰa １９・２２・６７・６８を通過するタインミングにて信号Ｓ１をＤ型フリップフロップ６１にてラッチして信号Ｓ３とし、この信号Ｓ３が２ビットデコーダ６３のＡ端子入力に送られる。
【００５５】
また、２ビットデコーダ６３によりＡ・Ｂ端子の入力状態に対応して４個の状態信号が出力端子Ｑ0 ・Ｑ1 ・Ｑ2 ・Ｑ3 から出力され、コントローラ６６に入力される。
【００５６】
また出力端子Ｑ1 ・Ｑ3 の信号はＡＮＤ回路６４に送られ論理的ＡＮＤが実施されて、Ｄ型フリップフロップ６５に入力される。コントローラ６６からのサンプリングクロックＣb により、光ビーム２９がウォブルドピットＰb ２０・２３・６９・７０を通過するタイミングでラッチして信号Ｓ２とし、この信号Ｓ２がトラッキングサーボ誤差信号ＴＥＳの切り替え信号としてアナログスイッチ３８に送られる。これらの各信号は、図９（ａ）（ｂ）（ｃ）（ｄ）に示すように、基本的にはウォブルドピットＰa １９・２２・６７・６８とウォブルドピットＰd ５６・５７・５８・５９とのずれ方向の組み合わせにより、４つの各スパイラル１１・１２・５２・５３を識別することになる。これらの信号関係を表１に示す。
【００５７】
このように、記録再生トラックの数が増加してもウォブルドピットを増加することにより、各記録再生トラックの識別が可能である。
【００５８】
【表１】
0003556255.tif 000002
【００５９】
【発明の効果】
請求項１の発明の光ディスク記録再生装置は、以上のように、光ディスク記録媒体に集光された光に対する光ディスク記録媒体からの戻り光を検出する２分割フォトダイオードを備えており、記録再生トラックは複数本の同心螺旋状に形成され、互いに隣接する各記録再生トラックの各トラック制御情報領域が、記録再生トラックに対して直角方向の一直線上とは異なる位置に並び配して形成されているとともに、上記トラック制御情報領域において、複数本の記録再生トラックを識別するための情報がウォブルドピットによって形成され、上記ウォルブドピットにおけるずれ方向の組み合わせによる上記２分割フォトダイオードの出力の違いを認識し、複数本の記録再生トラックを識別する構成である。
【００６０】
これにより、トラックピッチを狭くしたときに、従来であれば、互いに隣接する各記録再生トラックの各トラック制御情報領域同士が近接してクロストークが発生するおそれがあったが、本発明では、隣接する記録再生トラック同士では、各トラック制御情報領域が同一線上の横並びにならない。
【００６１】
したがって、記録再生トラックのトラックピッチを狭くしても各トラック制御情報領域における制御ピットの隣接記録再生トラック間のクロストークが発生しないために、正確なトラッキングサーボを実現することができるという効果を奏する。
【００６２】
また、記録再生トラックが複数本であっても、複数の制御用ピットに基づいて各記録再生トラックを識別することができるという効果を奏する。
【００６３】
請求項２の発明の光ディスク記録再生装置は、上記の構成に加えて、制御用ピットの情報に基づき記録再生トラックを選択し、情報を記録又は再生する選択記録再生手段を備えている構成である。
【００６４】
これにより、選択記録再生手段が光ディスク記録媒体における複数の制御用ピットの情報に基づき記録再生トラックを選択して情報を記録又は再生する。したがって、光ディスク記録媒体を用いて、情報を高密度に記録再生することができるという効果を奏する。
【図面の簡単な説明】
【図１】本発明の一実施例の光ディスクのトラックの構造を示す模式図である。
【図２】上記光ディスクを記録再生するためのピックアップを示す構造図である。
【図３】第１フォトダイオード及び第２フォトダイオードから構成される光検出器の構造を示す正面図である。
【図４】同心スパイラルに形成された第１スパイラルトラック及び第２スパイラルトラックを示す平面図である。
【図５】光ディスクの２重スパイラルを識別するための光ディスク記録再生装置の構成を示すブロック図である。
【図６】光ディスクの２重スパイラルを識別するための信号状態を示すタイムチャートであり、（ａ）は第２スパイラルを示すもの、（ｂ）は第１スパイラルを示すものである。
【図７】本発明の他の実施例における光ディスクのトラックの構造を示す模式図である。
【図８】上記光ディスクの４重スパイラルを識別するための光ディスク記録再生装置の構成を示すブロック図である。
【図９】光ディスクの４重スパイラルを識別するための信号状態を示すタイムチャートであり、（ａ）は第１スパイラルを示すもの、（ｂ）は第２スパイラルを示すもの、（ｃ）は第３スパイラルを示すもの、（ｄ）は第４スパイラルを示すものである。
【図１０】従来例を示すものであり、光ディスクのトラックの構造を示す模式図である。
【図１１】光ディスクにおけるトラッキング制御のための信号状態を示すタイムチャートであり、（ａ）は通常トラックピッチの記録再生トラック、（ｂ）は狭トラックピッチの記録再生トラックを示すものである。
【図１２】上記光ディスクにおける光ディスク記録再生装置の構成を示すブロック図である。
【符号の説明】
１          光ディスク（光ディスク記録媒体）
１１          第１スパイラル記録再生トラック
１２          第２スパイラル記録再生トラック
１３・１６    サーボ領域ＳA （トラック制御情報領域）
１４・１７    データ領域ＤA 
１９・２２    ウォブルドピットＰa （制御用ピット）
２０・２３    ウォブルドピットＰb （制御用ピット）
４１          コントローラ（選択記録再生手段）
【図１】
0003556255.tif 000003
【図２】
0003556255.tif 000004
【図３】
0003556255.tif 000005
【図４】
0003556255.tif 000006
【図５】
0003556255.tif 000007
【図６】
0003556255.tif 000008
【図７】
0003556255.tif 000009
【図８】
0003556255.tif 000010
【図９】
0003556255.tif 000011
【図１０】
0003556255.tif 000012
【図１１】
0003556255.tif 000013
【図１２】
0003556255.tif 000014